(57)【要約】【課題】内部に液体を収容した容器内部を透過させた画像の視認性を大幅に向上させ、装飾的効果をより一層高めることのできるフィルムラベル及びその製造方法を提供すること。【解決手段】内部に透明又は半透明の液体を収容した円筒状の胴部を有する透明又は半透明の容器の外周面に密着又は巻着されるフィルムラベル１であって、前記容器の胴部の外周面と接する面に印刷画像２を形成してなり、前記印刷画像２は、前記液体を収容した容器の内部を通して視認させる画像を正画像とした場合、該正画像に対して前記容器の周方向に沿う幅寸法ｂを所定の割合で縮小して形成してなることを特徴とするフィルムラベル。【選択図】      図１
2007003628.tif 000002
【特許請求の範囲】
【請求項１】
内部に透明又は半透明の液体を収容した円筒状の胴部を有する透明又は半透明の容器の外周面に密着又は巻着されるフィルムラベルであって、
前記容器の胴部の外周面と接する面に印刷画像を形成してなり、
前記印刷画像は、前記液体を収容した容器の内部を通して視認させる画像を正画像とした場合、該正画像に対して前記容器の周方向に沿う幅寸法を所定の割合で縮小して形成してなることを特徴とするフィルムラベル。
【請求項２】
前記容器の外周面に密着又は巻着された際、該容器を挟んで前記印刷画像と対向する部位の表面に、画像を形成してなることを特徴とする請求項１記載のフィルムラベル。
【請求項３】
内部に透明又は半透明の液体を収容した円筒状の胴部を有する透明又は半透明の容器の外周面に密着又は巻着され、前記容器の胴部の外周面と接する面に印刷画像を形成するフィルムラベルの製造方法であって、
フィルムラベルに印刷するための画像データを記憶する工程と、
前記容器の胴部の外径のデータを入力する工程と、
前記入力された容器の胴部の外径のデータに基づいて、前記記憶された画像データの幅寸法を所定の割合で縮小させる工程と、
前記縮小された画像データに基づいて、フィルムラベルの裏面に画像を印刷する工程と、
前記画像が印刷されたフィルムラベルを所定サイズに裁断する工程と、
を有することを特徴とするフィルムラベルの製造方法。
【発明の詳細な説明】
【技術分野】
【０００１】
本発明はフィルムラベル及びその製造方法に関し、詳しくは、容器の外周面に密着又は巻着することにより装飾的効果をより一層高めることのできるシュリンクフィルムや胴巻きフィルム等のフィルムラベル及びその製造方法に関する。
【背景技術】
【０００２】
プラスチック製容器やガラス製容器に清涼飲料水等の液体を収容した商品には、通常、容器本体の外周面に熱収縮性のシュリンクフィルムや帯状の胴巻きフィルム等のフィルムラベルが密着又は巻着されている。このようなフィルムラベルは、一般に、その表面に図柄、模様、文字、写真等の画像が印刷されており、その印刷画像によって商品に装飾を施し、消費者の購買意欲を喚起させる機能を有している。
【特許文献１】実用新案登録第３０６１４８０号公報
【特許文献２】特開２００４−１８４５５３号公報
【発明の開示】
【発明が解決しようとする課題】
【０００３】
このようなフィルムラベルを用いて容器に装飾を施す場合、通常、画像はフィルムラベルの外表面に印刷し、この印刷画像が表面に見えるようにフィルムラベルを容器の外周面に密着又は巻着している。このため、フィルムラベルは、印刷画像を容器本体の外表面から視認させるだけの画一的な装飾効果を与えるにすぎず、消費者に与えるインパクトに欠けるものであった。
【０００４】
ところで、内部に透明又は半透明の液体を収容した円筒状の胴部を有する容器は、レンズ作用をなすことにより、内部の液体を透過した画像が拡大して視認されることが知られている。従来、この現象を利用することにより、ラベルに形成された画像を容器内部の液体を通して拡大させて視認させ、新たな装飾的効果を意図することが、特許文献１、２に記載されている。
【０００５】
しかしながら、円筒状の胴部を有する容器内部の液体を透過した画像は、レンズ作用によって高さに比べて幅寸法が大きく左右に拡大されるため、実際に視認される画像は、横長状に歪んだ極めて奇異な画像となってしまう。これは、比較的単純な図柄である場合には相応の効果があるものの、多数の文字の羅列、写真、特に人物の顔やキャラクターの写真等の場合には、むしろ視認性を大きく低下させてしまい、何が書いてあるのか、人物やキャラクターが誰であるのか理解することが困難となってしまう。これは、ラベルに形成されている画像が、それ自体で高さ及び幅寸法が通常の画像として完成された画像であるためである。
【０００６】
このようなラベルは、そこに形成されている画像によって、数多くの商品が陳列されている中から、当該ラベルが付された商品のイメージを消費者に対して強く訴求し、消費者の購買意欲を喚起する機能を果たす必要があるため、画像の視認性は商品の売れ行きに大きな影響を与える重要な要素であるといえる。
【０００７】
そこで、本発明は、内部に液体を収容した容器内部を透過させた画像の視認性を大幅に向上させ、装飾的効果をより一層高めることのできるフィルムラベル及びその製造方法を提供することを課題とする。
【０００８】
本発明の他の課題は、以下の記載により明らかとなる。
【課題を解決するための手段】
【０００９】
上記課題は以下の各発明によって解決される。
【００１０】
（請求項１）
内部に透明又は半透明の液体を収容した円筒状の胴部を有する透明又は半透明の容器の外周面に密着又は巻着されるフィルムラベルであって、
前記容器の胴部の外周面と接する面に印刷画像を形成してなり、
前記印刷画像は、前記液体を収容した容器の内部を通して視認させる画像を正画像とした場合、該正画像に対して前記容器の周方向に沿う幅寸法を所定の割合で縮小して形成してなることを特徴とするフィルムラベル。
【００１１】
（請求項２）
前記容器の外周面に密着又は巻着された際、該容器を挟んで前記印刷画像と対向する部位の表面に、画像を形成してなることを特徴とする請求項１記載のフィルムラベル。
【００１２】
（請求項３）
内部に透明又は半透明の液体を収容した円筒状の胴部を有する透明又は半透明の容器の外周面に密着又は巻着され、前記容器の胴部の外周面と接する面に印刷画像を形成するフィルムラベルの製造方法であって、
フィルムラベルに印刷するための画像データを記憶する工程と、
前記容器の胴部の外径のデータを入力する工程と、
前記入力された容器の胴部の外径のデータに基づいて、前記記憶された画像データの幅寸法を所定の割合で縮小させる工程と、
前記縮小された画像データに基づいて、フィルムラベルの裏面に画像を印刷する工程と、
前記画像が印刷されたフィルムラベルを所定サイズに裁断する工程と、
を有することを特徴とするフィルムラベルの製造方法。
【発明の効果】
【００１３】
本発明によれば、内部に液体を収容した容器の装飾的効果をより一層高めることのできるフィルムラベル及びその製造方法を提供することができる。
【発明を実施するための最良の形態】
【００１４】
以下、本発明の実施の形態について図面を用いて説明する。
【００１５】
図１は、本発明に係るフィルムラベルの一例を示す背面図、図２は正画像を示す図、図３はフィルムラベルを容器に密着させる様子を示す斜視図である。ここでは、フィルムラベル１が熱収縮性を有するシュリンクフィルムである場合について説明する。
【００１６】
フィルムラベル１は、ポリエチレンテレフタレートやポリブチレンテレフタレート等のポリエステルフィルム、ポリエチレンやポリプロピレン等のポリオレフィンフィルムを基材とする一軸延伸された熱収縮性を有する透明又は半透明の透視可能なプラスチックフィルムからなり、その一面には印刷画像２が形成されている。
【００１７】
印刷画像２は、図柄、模様、文字、写真等の画像として視認可能なものであれば任意であり、図３に示すように、フィルムラベル１を容器３の胴部３ａ外周面に密着させる際に、該容器３の胴部３ａ外周面に接する側の面（以下、これを「裏面」とする）に、プリント印刷等の適宜の印刷方法を用いて印刷されている。
【００１８】
この印刷画像２を印刷する場合、図２に示すように、容器３内部の液体を通して視認させる画像を正画像４とした場合、この正画像４に対して容器３の高さ方向に沿う高さ寸法を同一とし、容器３の胴部３ａの周方向に沿う幅寸法を所定の割合で縮小して形成する。すなわち、正画像４の高さ寸法をａ、幅寸法をｃとした場合、印刷画像２の高さ寸法は同一のａとし、幅寸法ｂはｂ＜ｃとなるように縮小する。このときの正画像４は、高さ及び幅寸法が通常視認される画像と同じ状態の画像であり、容器３内の液体を通して消費者に視認させたい画像である。
【００１９】
なお、フィルムラベル１がシュリンクフィルムである場合、容器３の外周面に熱収縮させることによって密着させるため、上記高さ寸法ａ及び幅寸法ｂについて、更に熱収縮による高さ寸法ａ及び幅寸法ｂの収縮率を予め考慮する必要があることはもちろんであるが、本明細書では、シュリンクフィルムが熱収縮する際の収縮率は考えないものとする。
【００２０】
ここでは正画像４は５本の花の画像を表しているが、印刷画像２はこの正画像４の幅寸法ｃを幅寸法ｂとなるように縮小することによって縦長状の画像となっており、このフィルムラベル１だけを観察した場合、極めて奇異で何が印刷されているのか理解し難いような画像が裏面に印刷されていることになる。
【００２１】
フィルムラベル１を密着させる容器３は、ペットボトル等のプラスチック製容器やガラス製容器等からなる透明又は半透明の内部が透視可能な容器であり、少なくとも一部に円筒状の胴部３ａを有するものである。
【００２２】
印刷画像２を形成したフィルムラベル１は、両端部同士を接着又は溶着等によって接合して円筒状に形成し、図３に示すように、印刷画像２を形成した裏面が容器３の胴部３ａに接するようにして容器３の胴部３ａに被せた後、加熱して収縮させることによって、容器３の胴部３ａ外周面に密着させる。
【００２３】
図４（Ａ）（Ｂ）は、フィルムラベル１を容器３の胴部３ａ外周面に密着させた状態を示す正面図であり、（Ａ）は容器３内に液体を収容していない空の状態、（Ｂ）は容器３内に透明又は半透明の透視可能な液体Ｗを収容した状態である。いずれも印刷画像２は容器３を挟んで観察者の奥側に位置している。また、図５は、図４（Ｂ）の(V)-(V)線に沿う断面図である。
【００２４】
容器３内に液体が収容されていない空の状態では、フィルムラベル１に形成された印刷画像２を容器３の内部を通して観察すると、印刷画像２が接している容器３の壁部→容器３の内部空間→容器３の反対側の壁部を通って印刷画像２が視認される。このとき、印刷画像２は、フィルムラベル１に印刷形成された状態のままの縦長状の画像となる。
【００２５】
しかし、容器３内に液体Ｗを収容した状態では、図５の白抜き矢印の方向から観察すると、印刷画像２は、印刷画像２が接している容器３の壁部→容器３内の液体Ｗ→容器３の反対側の壁部を通って視認される。このとき、液体Ｗを収容した容器３はレンズの作用を果たし、容器３内の液体Ｗを通過した光のうち、印刷画像２の幅方向の光を左右に拡大させるように屈折させるため、印刷画像２は、フィルムラベル１に印刷形成された画像の幅寸法が拡大される。しかし、本発明では、この印刷画像２は予め幅寸法ｂが所定の割合で縮小されて形成されているため、容器３内の液体Ｗを通して幅寸法が拡大されても、観察者に対して奇異な印象を全く与えることがなく、高さ及び幅寸法が通常視認される画像と同じ状態の正画像４となって外部から視認されることになる。
【００２６】
従って、予め印刷画像２の幅寸法を、予め、正画像４となる画像の幅寸法に対して所定の割合で縮小させて形成しておくことで、それ自体では裏面に極めて奇異な縦長状の印刷画像２が印刷されているだけにすぎないフィルムラベル１を、透明又は半透明の液体Ｗを収容した容器３の胴部３ａ外周面に密着させたときに、印刷画像２を正常な状態の正画像４として外部から視認させることができ、容器３内の液体Ｗを通して印刷画像２を視認した観察者に対して奇異な印象を与えることをなくすことができる。
【００２７】
これによって、フィルムラベル１の持つ装飾的効果を最大限に生かすことができるようになり、消費者に対する訴求機能を大幅に向上させることができるようになる。
【００２８】
また、印刷画像２は、容器３内の液体Ｗを通って観察者の反対側の容器３壁部に印刷されているため、視認される画像に奥行き感をもたらすことができる。
【００２９】
フィルムラベル１に形成する印刷画像２の幅寸法ｂは、このように透明又は半透明の液体Ｗを収容した容器３の胴部３ａ外周面に密着させ、それを一方向から観察した際に、高さ及び幅寸法が通常視認される画像と同じ状態の正画像４として視認させることができるように、容器３の胴部３ａの外径との関係で縮小率が決められる。例えば、一般的な内容量５００ｍｌの清涼飲料水用のペットボトル製容器の場合、円筒状の胴部の外径は約７０ｍｍとなるが、その場合、印刷画像２の幅寸法ｂを正画像４の幅寸法ｃに対して６０％に縮小することで、容器内の液体を通して印刷画像２を外部から正画像４として視認させることができる。
【００３０】
フィルムラベル１には、印刷画像２以外にも、印刷画像２の視認性を損なわない程度に、その表面及び／又は裏面に適宜の印刷画像を形成するようにしてもよい。
【００３１】
図６（Ａ）（Ｂ）及び図７は、フィルムラベルの両面に印刷画像を形成した態様を示している。図６（Ａ）はフィルムラベルの正面図、図６（Ｂ）はフィルムラベルの背面図であり、図７（Ａ）（Ｂ）はフィルムラベルの部分断面図である。
【００３２】
フィルムラベル１０は、容器３の胴部３ａ外周面に接する側である裏面に印刷画像２が形成されている。この印刷画像２については上記で説明した通りであるので、ここでの詳細な説明は省略する。
【００３３】
また、フィルムラベル１０は、図７（Ａ）に示すように、表面側において印刷画像２とほぼ同位置に印刷画像５が形成されている。ここでは印刷画像５は、印刷画像２の背面側を覆う大きさの矩形状の図形５ａと文字５ｂとバーコード５ｃとがプリント印刷等の適宜の印刷方法を用いて印刷されており、それが表面側から視認されるようになっている。
【００３４】
このフィルムラベル１０によれば、図３に示したように、容器３の胴部３ａ外周面に密着させ、印刷画像２を容器３内の透明又は半透明の液体Ｗを通して外部から視認させることによって、上記したようなフィルムラベル１の持つ装飾的効果を最大限に生かすことができるようになり、消費者に対する訴求機能を大幅に向上させることができると共に、印刷画像５によって印刷画像２とは異なる情報を与えることができる。特に、印刷画像５を印刷画像２の背面側からの光を遮蔽する遮蔽層とすれば、印刷画像２の視認性をより高めることができる。
【００３５】
印刷画像５を遮蔽層とする場合、図７（Ｂ）に示すように、フィルムラベル１０の裏面側に印刷することもできる。すなわち、フィルムラベル１０の裏面側から、表面側から見た場合に文字等が正常な状態で視認できるように鏡像として印刷し、更にその上に遮蔽層を印刷して印刷画像５を形成し、その上から印刷画像２を形成すると、フィルムラベル１０の表面側には印刷画像５が視認され、裏面側には印刷画像２が視認されるようになる。この態様では、フィルムラベル１０を容器３の胴部３ａ外周面に密着させた場合、いずれの印刷画像２、５もフィルムラベル１０の裏側となるので、商品の荷ずれ等によって印刷が擦れたり汚れたりする心配がない。
【００３６】
図８、図９は、フィルムラベルの両面に印刷画像を形成した更に別の態様を示している。図８はフィルムラベルの斜視図、図９はフィルムラベルを容器の外周面に密着させた状態を示す斜視図である。
【００３７】
フィルムラベル２０は、容器３の胴部３ａ外周面に接する側である裏面に印刷画像２が形成されている。この印刷画像２については上記で説明した通りであるので、ここでの詳細な説明は省略する。
【００３８】
また、フィルムラベル２０は、容器３の胴部３ａ外周面に巻着した際に、容器３の胴部３ａを挟んで印刷画像２と対向する部位となるフィルムラベル２０の表面側に印刷画像６が形成されている。ここでは印刷画像６は、文字６ａ、６ｂ及び２羽の蝶の画像６ｃが、プリント印刷等の適宜の印刷方法を用いて印刷されており、それが表面側から視認されるようになっている。
【００３９】
このフィルムラベル２０によれば、図３に示したように、容器３の胴部３ａ外周面に密着させ、印刷画像２を容器３内の透明又は半透明の液体Ｗを通して外部から視認させ、印刷画像６をフィルムラベル２０の表面から視認させることによって、印刷画像２と印刷画像６の双方を容器３の外部から同時に視認させることができる。このとき、印刷画像２と印刷画像６とは容器３を挟んで反対側に位置しているので、印刷画像２と印刷画像６とを同時に視認させることで、観察者に対して両印刷画像２、６のそれぞれの位置の相違による遠近感によって立体感を与えることができるという新たな装飾的効果をもたらすことができ、消費者に対する訴求機能をより一層向上させることが可能である。
【００４０】
このフィルムラベル２０にも、図６、図７に示したように、印刷画像２の背面側から印刷画像５が視認されるように形成してもよい。
【００４１】
また、フィルムラベル２０の表面側の印刷画像６は、フィルムラベル２０の表面側から正常な状態で視認できるように、その裏面側に鏡像として印刷するようにしてもよい。
【００４２】
図１０、図１１は、フィルムラベルの更に別の態様を示している。図１０は、フィルムラベルの斜視図、図１１（Ａ）はフィルムラベルを容器の外周面に密着させた状態を示す正面図、（Ｂ）はその背面図である。
【００４３】
フィルムラベル３０は、容器３の胴部３ａ外周面に接する側である裏面に印刷画像２が形成されている。この印刷画像２については上記で説明した通りであるので、ここでの詳細な説明は省略する。
【００４４】
フィルムラベル３０は、容器３の胴部３ａ外周面に密着させた際に、容器３の胴部３ａを挟んで印刷画像２と対向する部位以外のフィルムラベル３０の表面側全体が印刷された遮蔽層７となっている。この遮蔽層７の表面には文字７ａが印刷されている。また、このフィルムラベル３０は、容器３の胴部３ａを挟んで印刷画像２と対向する部位に、遮蔽層７が印刷されないことによって透視可能な覗き窓７ｂが形成されている。
【００４５】
このフィルムラベル３０を容器３の胴部３ａ外周面に密着させると、図１１（Ａ）に示すように、表面の遮蔽層７が印刷されていない覗き窓７ｂによって、容器３内の液体Ｗを通して印刷画像２を視認させることができる。従って、このフィルムラベル３０によれば、遮蔽層７が印刷されていない覗き窓７ｂから観察することによって、印刷画像２を、覗き窓７ｂをあたかも額縁として絵画的に視覚させることができ、容器３に新たな装飾的効果をもたらすことができる。
【００４６】
このフィルムラベル３０には、図１１（Ｂ）に示すように、遮蔽層７の表面に商品名等の文字７ｃやバーコード７ｄ等の他の画像を印刷することができる。
【００４７】
更に、このようなフィルムラベル３０には、その裏面に複数の印刷画像を形成することも好ましい。図１２、図１３は、フィルムラベル３０の裏面に複数の印刷画像２ａ、２ｂ、２ｃを形成した例を示している。図１２は、フィルムラベルの斜視図、図１３はフィルムラベル３０を密着させた容器の胴部の断面図である。
【００４８】
フィルムラベル３０の裏面には、所定の間隔をおいて印刷画像２ａ、２ｂ、２ｃが形成されている。各印刷画像２ａ、２ｂ、２ｃは、印刷画像２と同様に、正画像に対して幅寸法を所定の割合で縮小した画像である。
【００４９】
このフィルムラベル３０を容器３の胴部３ａ外周面に密着させると、図１１（Ａ）に示した場合と同様、表面の遮蔽層７が印刷されていない覗き窓７ｂによって、容器３内の液体Ｗを通してフィルムラベル３０の裏面の印刷画像を正画像として視認させることができるが、図１３に示すように、観察者の位置がＡ、Ｂ、Ｃのように異なることによって、覗き窓７ｂから視認される印刷画像を、印刷画像２ｃ、２ｂ、２ａという具合にそれぞれ異にすることができる。
【００５０】
従って、このフィルムラベル３０によれば、遮蔽層７が印刷されていない覗き窓７ｂから観察することによって、印刷画像２を、覗き窓７ｂをあたかも額縁として絵画的に視覚させることができるという上記した効果に加えて、観察者に複数の印刷画像２ａ、２ｂ、２ｃを個別に視認させることができるという新たな装飾的効果を容器３に付与することができる。
【００５１】
このフィルムラベル３０においても、遮蔽層７や文字７ａ、７ｃ、バーコード７ｄ等の画像は、フィルムラベル３０の表面側から視認できるようにその裏面側に印刷するようにしてもよい。この場合、印刷画像２、２ａ〜２ｃは、遮蔽層７を印刷した後に、その上から印刷すればよい。
【００５２】
次に、このようなフィルムラベル１、１０、２０、３０の好ましい製造方法について説明する。図１４は、フィルムラベルの製造装置の概念を表す構成図である。
【００５３】
フィルムラベル製造装置１００には、フィルムラベルの材料であるフィルム２０１が長尺状に巻回されたフィルムロール２００が所定位置に装着され、図示しない搬送機構によって印刷部１０１に向けて所定速度で搬送されるようになっている。
【００５４】
この印刷部１０１は、フィルム２０１の表裏両面に、グラビア印刷、フレキソ印刷、インクジェット印刷等、適宜の印刷方法によって画像を印刷するようになっている。
【００５５】
制御部１０２には、キーボード等により各種データを入力する入力部１０３、外部のコンピュータ等からレンズ作用によって視認させたい印刷画像２の元となる画像データを取り込んで記憶する画像メモリ１０４、画像の他に各種情報をモニタ表示する表示部１０５がそれぞれ接続されている。
【００５６】
印刷画像２の元となる画像データが外部のコンピュータ等によって取り込まれ、画像メモリ１０４に記憶されると、次に、入力部１０３によって、フィルムラベルを密着させる円筒状の胴部を有する容器の胴部の外径、印刷枚数等のデータを設定入力する。
【００５７】
制御部１０２には、図１５に示すように、予め、容器の胴部外径と、その容器に密着させた場合に内部の液体を通して視認させる正画像（この場合、正画像は画像メモリ１０４に記憶された画像データと同一となる。）に対する幅寸法の縮小率との関係を規定したテーブル１０２ａが記憶されており、このテーブル１０２ａに基づいて画像データの幅寸法の縮小率を決定する。次いで、制御部１０２は、画像メモリ１０４に記憶されている画像データを読み出し、上記決定された縮小率に従って幅寸法を縮小するように加工する。
【００５８】
このとき、表示部１０５には、取り込まれた画像データ（正画像）と加工後の幅寸法が縮小された画像データ（印刷画像）とが対比して表示される。
【００５９】
次いで、制御部１０２において幅寸法が縮小された画像データに基づいて版を作成し、或いはインクジェット印刷の場合には印刷部１０１にその画像データを出力して、印刷部１０１においてフィルムロール２００から搬送されるフィルム２０１の裏面に幅寸法を縮小した印刷画像を形成する。また、表面にも適宜の画像を印刷する。
【００６０】
印刷部１０１を経て両面に画像が印刷されたフィルム２０２は、その後、加工部１０６において両側縁を接着するための接着剤塗布工程、両側縁同士を互いに重ね合わせるための折り工程等を経て長尺状の円筒状に形成され、巻き取りロール３００に巻き取られる。
【００６１】
なお、制御部１０２では、テーブル１０２ａを設ける代わりに、容器の胴部外径と画像データの幅寸法の縮小率との関係を演算により求めるための演算式を記憶させた演算部を設け、入力部１０３から入力された容器の胴部外径のデータに基づいて、画像データの幅寸法の縮小率を求めるようにしてもよい。
【００６２】
また、以上説明したフィルムラベル１、１０、２０、３０は、熱収縮性のシュリンクフィルムである場合を例示したが、容器の胴部外周面に巻着される帯状の胴巻きフィルムであってもよいことはもちろんである。
【図面の簡単な説明】
【００６３】
【図１】本発明に係るフィルムラベルの一例を示す背面図
【図２】正画像を示す図
【図３】フィルムラベルを容器に密着させる様子を示す斜視図
【図４】（Ａ）はフィルムラベルを空の容器の外周面に密着させた状態を示す正面図、（Ｂ）はフィルムラベルを液体を収容した容器の外周面に密着させた状態を示す正面図
【図５】図４（Ｂ）の(V)-(V)線に沿う断面図
【図６】（Ａ）は他の態様に係るフィルムラベルの正面図、（Ｂ）はフィルムラベルの背面図
【図７】（Ａ）（Ｂ）はフィルムラベルの部分断面図
【図８】更に別の態様に係るフィルムラベルの斜視図
【図９】図８に示すフィルムラベルを容器の外周面に密着させた状態を示す斜視図
【図１０】更に別の態様に係るフィルムラベルの斜視図
【図１１】（Ａ）はフィルムラベルを容器の外周面に密着させた状態を示す正面図、（Ｂ）はその背面図
【図１２】フィルムラベルの斜視図
【図１３】フィルムラベルを密着させた容器の胴部の断面図
【図１４】フィルムラベルの製造装置の構成図
【図１５】容器の胴部外径と幅寸法の縮小率との関係を規定したテーブル
【符号の説明】
【００６４】
１、１０、２０、３０：フィルムラベル
２：印刷画像
３：容器
３ａ：胴部
４：正画像
５、６：別の印刷画像
７：遮蔽層
Ｗ：液体
【図１】
2007003628.tif 000003
【図２】
2007003628.tif 000004
【図３】
2007003628.tif 000005
【図４】
2007003628.tif 000006
【図５】
2007003628.tif 000007
【図６】
2007003628.tif 000008
【図７】
2007003628.tif 000009
【図８】
2007003628.tif 000010
【図９】
2007003628.tif 000011
【図１０】
2007003628.tif 000012
【図１１】
2007003628.tif 000013
【図１２】
2007003628.tif 000014
【図１３】
2007003628.tif 000015
【図１４】
2007003628.tif 000016
【図１５】
2007003628.tif 000017